【事件の表示】
　特願２００５−３６１７９４「写真撮影編集方法およびその装置」拒絶査定不服審判事件〔平成１９年　６月２８日出願公開、特開２００７−１６３９４９〕について、次のとおり審決する。
【結　論】
　本件審判の請求は、成り立たない。
【理　由】
第１　手続きの経緯
　本願は、平成１７年１２月１５日の出願であって、平成２２年６月３日付けで手続補正がなされたが、同年６月１６日付けで拒絶査定がなされ、これに対し、同年９月１５日に審判請求がなされたものである。
　
第２　本願発明
１．本願発明
　本願の請求項４に係る発明は、平成２２年６月３日付けの手続補正書の、特許請求の範囲の請求項４に記載された事項により特定される、次のとおりのものと認める。
　「撮影空間内の一以上の被写体を照明する照明手段を備えた撮影側の撮影筐体と、
前記照明手段で照明されている被写体を撮影して撮影画像を作成する撮影手段と、
前記撮影画像を編集して編集画像を作成許容する編集手段を備えた編集側の編集筐体と、
前記撮影画像または／および前記編集画像を出力する出力手段とを有する写真撮影編集装置であって、
前記編集筐体と前記撮影筐体とはそれぞれ分離可能に構成され、
前記編集筐体に、撮影方向を前記撮影筐体側に向けた前記撮影手段を備え、
前記撮影筐体に、前記撮影手段による該撮影筐体越しの撮影を許容する窓部を備え、
前記編集手段を、
前記編集筐体の左右両側面の所定の取り付け位置に、該編集筐体の内部に埋設させてそれぞれ取り付け、
前記所定の取り付け位置を、前記撮影筐体と前記編集筐体を接続した筐体全体の奥行き方向と、鉛直方向とのそれぞれの方向において、前記編集手段の取り付け位置と前記撮影手段を備えた位置との少なくとも一部が一致する位置とした
写真撮影編集装置。」（以下「本願発明」という。）
　
２．刊行物及びそれに記載された発明
　
　引用文献１：特開２００３−１７８３７３号公報
　原査定の拒絶の理由に引用され、本願出願前に頒布された刊行物である、上記引用文献１には、以下の記載がある。
　
（１ａ）「【０００１】
【発明の属する技術分野】この発明は、例えばゲームセンターや遊園地、テーマパーク、旅館、観光施設等の施設に設置され、被写体を撮像してその撮像画像を編集し、その編集した編集画像及び前記撮像画像から所定の画像を印刷した写真シールを販売するような、写真シール自動販売方法とその装置、及び写真シールシートに関する。」
　
（１ｂ）「【０００８】
【課題を解決するための手段】この発明は、撮像空間内の１以上の被写体を照明手段で照明し撮像手段で撮像して撮像画像を作成する撮像処理を許容し、編集対象の画像に対して編集手段で編集して編集画像を作成する編集処理を許容し、所定の画像を出力画像として出力手段で出力する写真シール自動販売方法又はその装置であって、前記撮像空間外に設定された編集空間内で、複数の前記入力手段での編集操作を実行させる写真シール自動販売方法又はその装置であることを特徴とする。
【０００９】前記撮像空間は、カーテン等の部材で囲繞された空間、又は前記撮像手段に撮像され得る開放された空間であることを含む。前記編集空間は、カーテン等の部材で囲繞された空間、前記編集手段周辺の開放された空間、又は前記編集手段で編集操作を実行し得る空間であることを含む。
【００１０】前記編集手段は、タッチペンとタッチパネルで構成する編集手段であることを含む。前記入力手段は、タッチペンであることを含む。前記複数の入力手段での編集操作は、１つの入力手段を伴う編集手段を複数備えての編集操作、複数の編集手段を伴う編集手段を１つ備えての編集操作、複数の編集手段を伴う編集手段を複数備えての編集操作であることを含む。」
　
（１ｃ）「【００２５】写真シール自動販売機１は、ボックス状の枠９の上辺から吊るしたカーテン８で囲繞し、中央より背面側に筐体２を設置している。なお、この図１では天井板の一部と正面のカーテン８の一部、及び左側面のカーテン８を省略しており、図２では、天井板の一部と左側面のカーテン８の一部、及び枠９の一部を省略している。
【００２６】前記筐体２の前方には、普通人が２，３人横に並んだ状態でポーズをとって撮像できる程度の幅の撮像空間３が設けられ、前記筐体２の背面には普通人が２，３人横に並んで落書き編集できる程度の幅の編集空間４が設けられている。
【００２７】前記筐体２の正面は、中央に丸型のＯＫボタン１３１、ＮＧボタン１３２と、上向き三角及び下向き三角の２つのボタンからなる選択ボタン１３３で構成する正面入力装置１３ａ（後述）を設ける。
【００２８】前記正面入力装置１３ａの上には動画像や静止画像、文字画像等の画像を表示する正面ディスプレイ１８ａを設け、その上には被写体を撮像するデジタルカメラ１７を設ける。
【００２９】前記デジタルカメラ１７を挟むようにして、筐体２の上部左右には被写体を照明する蛍光灯照明装置１６，１６を配設し、前記正面入力装置１３ａの左下には硬貨（又は紙幣）を投入する貨幣投入口１５ａを設ける。
【００３０】筐体２の背面には、図２に示すように、被写体を撮像した静止画像、文字画像、落書き用ペン画像等の画像を表示する２つの背面ディスプレイ１８ｂ，１８ｃを普通人がタッチし得る程度の高さに並設する。
【００３１】前記背面ディスプレイ１８ｂ，１８ｃにはタッチペンでタッチされた座標を検知するタッチパネル１４１，１４３を重ねて設け、その下にそれぞれのタッチペン１４２，１４４を配設して、背面入力装置１４ｂ，１４ｃを構成する。筐体２の左側面下部には、写真シールシート５ｃを排出する排出口１９ａを設け、筐体２の内部右側には、各装置を制御するパソコン１０（図１）を設ける。
【００３２】筐体２の内部左側には、図３の部分拡大図（一部断面図）に示すように、前記排出口１９ａの近傍にプリンタ１９を備える。該プリンタ１９には、シール紙ユニット５をセットしており、該シール紙ユニット５はロール状に巻いたシール紙５ａと正規品か否かを識別させる識別データ等のデータを記憶させたＩＤタグ５ｂで構成する。」
　
（１ｄ）「【００３８】蛍光灯照明装置１６は、内蔵する蛍光灯を発光させて照明する照明装置であり、制御装置１１の照明制御信号を受けて発光のＯＮ／ＯＦＦを実行する。デジタルカメラ１７は、制御装置１１からのシャッタ信号を受けて被写体の撮像を実行し、撮像した撮像画像を画像データとして制御装置１１に送信する。なお、被写体がポーズを取っている間は被写体を動画撮影し、その動画像を画像データとして制御装置１１に送信する。
【００３９】正面ディスプレイ１８ａは、制御装置１１からのＲＧＢ信号に従って、前記動画像及び撮像画像、文字画像等の画像を表示する。背面入力装置１４（１４ｂ，１４ｃ）は、前述したようにタッチパネル１４１，１４３及びタッチペン１４２，１４４で構成され、該タッチペン１４２，１４４でタッチされた座標を入力信号として制御装置１１に送信する。これにより、利用者が前記タッチペン１４２，１４４で落書き編集することを可能にしている。
【００４０】この２つの背面入力装置１４は、同一の撮像画像を表示して１つの撮像画像に対して２人が同時に落書き編集することを可能にしている。また、各背面入力装置１４で落書き編集する撮像画像は、それぞれ単独で選択することも可能にしており、別々の撮像画像に対して同時に落書き編集することを可能にしている。
【００４１】背面ディスプレイ１８ｂ，１８ｃは、制御装置１１からのＲＧＢ信号に従って、撮像画像、文字画像、落書き編集用のペン画像などの画像を表示する。これにより、利用者が落書き編集している画像を確認しつつ落書き編集を行うことを可能にしている。
【００４２】この背面ディスプレイ１８ｂ，１８ｃは、対応する背面入力装置１４ｂ，１４ｃの入力に従って、表示する落書き編集画像等の画像をそれぞれ単独に変更することを可能にしている。」
　
（１ｅ）「【００４６】以上の構造により、撮像空間３内で被写体によって正面入力装置１３ａが操作され、正面ディスプレイ１８ａでポーズを確認させてデジタルカメラ１７で撮像を実行し、編集空間４内で背面ディスプレイ１８ｂ，１８ｃに表示した撮像画像に対して、背面入力装置１４で落書き編集をさせ、該落書き画像及び該落書き画像の元となった撮像画像以外の落書きされていない撮像画像を印刷した写真シールシート５ｃを排出する。」
　
（１ｆ）「【００６８】仮に、他の実施形態として図８の（Ｉ）に示すように背面ディスプレイ１８ｂ，１８ｃを筐体２の右側面に並設し、その右側に編集空間４を設けた場合であれば、筐体２が不必要に大きくなって無駄なスペースＳが発生する上、利用者の編集空間４への出入り口が同一になるためすれ違えるだけの横幅を設ける必要が発生して、編集空間４を広くする必要がある。したがって、販売回転率を向上する上では有効であるが、空間（スペース）の使い方としてはベストと言い難い。
【００６９】他の実施形態としては、図９の（Ｊ）に示すように、筐体２を分割して撮像空間３の奥にデジタルカメラ１７を備えた筐体２を設け、手前に設けた編集空間４の手前側に背面ディスプレイ１８ｂ，１８ｃを備えた筐体２’を設けてもよい。前記撮像空間３と編集空間４をカーテン８で仕切れば、前述の（Ｈ）と同様の効果が得られる。
【００７０】また、他の実施形態として、図９の（Ｋ）に示すように撮像空間３の手前側に背面ディスプレイ１８ｂ，１８ｃを備えた筐体２’を設けてもよい。この場合、撮像空間４は枠９（図示省略）で囲繞せず、編集空間４と通路を兼ねるようにできる。
【００７１】これにより、空間利用の効率がさらに向上し、例えば編集空間４の手前が通路であった場合、前記編集空間４との区分けがないために心理的に広く感じさせることができる。
【００７２】従来の写真シール自動販売機では、利用者は撮像のポーズを取るときを他人に見られたくないという心理があることから、撮像空間（編集空間を含む）をカーテン８で囲繞しているが、編集している様子を見られることについてはそのような心理がないため、編集空間４を囲繞する必要性は乏しく、省略しても差し支えない。
【００７３】以上のことから、図１０の斜視図に示す実施形態のように、写真シール自動販売機１を壁Ｗに密着させて設置する場合は、筐体２が壁から遠くなるようにして設置すると最も効率的に空間を利用することができる。
【００７４】筐体２の背面側に該当する編集空間４は、開放された空間にして通路を兼ねることができ、また楽しそうに利用者が編集している様子が他の利用者の利用意欲を刺激して、それ自体が写真シール自動販売機１の宣伝となって売上向上を見込むことができる。
【００７５】またこのように編集空間４を開放した場合は、従来はカーテン８で囲繞された写真シール自動販売機１と、それを利用するため並んで待っている利用者がいただけの閉鎖的な雰囲気の施設内が、利用者が楽しく編集している開放的で健全な雰囲気に一新され、施設のイメージが明るく改善される。」
　
（１ｇ）「【図８】
」
（１ｈ）「【図９】
」
（１ｉ）「【図１０】
」
　
　これらの記載及び図面を含む刊行物１全体の記載並びに当業者の技術常識を総合すると、刊行物１には、以下の発明が記載されているものと認められる。
　
「ボックス状の枠（９）内に筐体（２）を設置し、
前記筐体の前方には、枠の上辺から吊るしたカーテン（８）で囲繞し、普通人が２，３人横に並んだ状態でポーズをとって撮像できる程度の幅の撮像空間（３）を設け、
前記筐体の背面には普通人が２，３人横に並んで落書き編集できる程度の幅の編集空間（４）が設けられ、
前記筐体の正面には被写体を撮像するデジタルカメラ（１７）を設け、
前記デジタルカメラを挟むようにして、筐体の上部左右には被写体を照明する蛍光灯照明装置（１６，１６を）配設し、
筐体の背面には、被写体を撮像した静止画像、文字画像、落書き用ペン画像等の画像を表示する２つの背面ディスプレイ（１８ｂ，１８ｃ）を普通人がタッチし得る程度の高さに並設し、
前記背面ディスプレイにはタッチペンでタッチされた座標を検知するタッチパネル（１４１，１４３）を重ねて設け、その下にそれぞれのタッチペン（１４２，１４４）を配設して、背面入力装置（１４ｂ，１４ｃ）を構成した
写真シール自動販売装置。」（以下「引用発明」という。）
　
３．対比・判断
　本願発明と引用発明を対比する。
　引用発明の「枠の上辺から吊るしたカーテンで囲繞し、普通人が２，３人横に並んだ状態でポーズをとって撮像できる程度の幅の撮像空間」、「被写体を照明する蛍光灯照明装置」及び「デジタルカメラ」は、それぞれ、本願発明の「撮影空間」、「被写体を照明する照明手段」及び「撮影手段」に相当する。
　また、引用発明の「背面入力装置」は、被写体を撮像した静止画像、文字画像、落書き用ペン画像等の画像をタッチペンで編集するためのものであるから、本願発明の「編集手段」に相当する。
　そうすると、引用発明の「筐体」は、本願発明の「編集筐体」に相当する。しかも、引用発明では、筐体の正面には被写体を撮像するデジタルカメラを設けているから、該「筐体」は、「編集筐体に、撮影方向を前記撮影筐体側に向けた前記撮影手段を備え」ている点で本願発明と共通する。
　また、引用発明の２つの背面入力装置（本願発明の「編集手段」に相当）が、筐体（本願発明の「編集筐体」に相当）の所定の取り付け位置に、それぞれ取り付けられていることは明らかである。
　以上のことから、引用発明の「写真シール自動販売装置」が「撮影画像または／および前記編集画像を出力する出力手段とを有する写真撮影編集装置」としての機能を有していることがわかる。
　
　してみると両者は、
「撮影空間内の一以上の被写体を照明する照明手段を備え、
前記照明手段で照明されている被写体を撮影して撮影画像を作成する撮影手段と、
前記撮影画像を編集して編集画像を作成許容する編集手段を備えた編集側の編集筐体と、
前記撮影画像または／および前記編集画像を出力する出力手段とを有する写真撮影編集装置であって、
前記編集筐体に、撮影方向を前記撮影筐体側に向けた前記撮影手段を備え、
前記編集手段を、
前記編集筐体の所定の取り付け位置に、それぞれ取り付けた
写真撮影編集装置。」
の点で一致し、以下の各点で相違している。
　
（相違点１）
　編集手段を、本願発明では、編集筐体の左右両側面の所定の取り付け位置に、該編集筐体の内部に埋設させて取り付けているのに対して、引用発明では、編集筐体の背面に取り付けており、該編集筐体の内部に埋設させて取り付けているかどうか不明な点。
　
（相違点２）
　本願発明では、照明手段を備えた撮影側の撮影筐体を編集筐体とは分離可能に設け、該撮影筐体に、撮影手段による該撮影筐体越しの撮影を許容する窓部を備え、編集手段の取り付け位置を、前記撮影筐体と前記編集筐体を接続した筐体全体の奥行き方向と、鉛直方向とのそれぞれの方向において、前記編集手段の取り付け位置と前記撮影手段を備えた位置との少なくとも一部が一致する位置としたのに対して、引用発明では、そのような撮影筐体を有しておらず、照明手段を編集筐体に設けている点。
　
　上記各相違点について検討する。
（相違点１について）
　編集手段を撮影手段と別体に設けた装置においては、編集手段をどのように配置するかは、当業者が、かなりの自由度をもって任意に選択しうる事項である（上記摘記事項（１ｆ）〜（１ｉ）参照）。
　また、編集手段を編集筐体の左右両側面に設けることも、ごく普通に行われている周知技術である（特開２００５−２８４２９７号公報参照）。
　そして、編集手段を、編集筐体の内部に埋設させて取り付けるかどうかは、編集手段の大きさや構造、使用する態様や他の部材との位置関係等を総合的に勘案して、当業者が適宜決定しうる事項である。
　したがって、引用発明に、相違点１に係る構成を採用することは、当業者が容易になし得る事項である。
（相違点２について）
　本願発明や引用発明のように、筐体を組合せて構成する装置においては、どういう筐体の組合せにするか、どの機能をどの筐体に設けるか、及び、それらの筐体をどのように配置するか等は、配置スペースや使い勝手等の種々の要因を総合的に勘案して、当業者が適宜決定しうる事項である（上記摘記事項（１ｆ）〜（１ｉ）参照）。
　したがって、引用発明の照明手段を、筐体（本願発明の「編集筐体」に相当）とは別個の筐体に設け、それを編集筐体前方に配置することは、レイアウトやメンテナンス等の種々の要因を考慮して、当業者が適宜採用しうる事項である。その場合に、該撮影筐体に、撮影手段による該撮影筐体越しの撮影を許容する窓部を備えることは、当業者が当然考慮すべき事項である。
　また、編集手段の取り付け位置と撮影手段の位置は、鉛直方向については、編集手段も撮影手段も、ともに利用者が同一の姿勢で正視する可能性があることを考慮すれば、同程度の位置とすることに、格別の困難性はない。奥行き方向については、不要なスペースを排除するという当業者の技術常識を参酌すれば、それらが干渉しない限り、重複して配置しようとすることは、当業者が適宜採用しうる事項である。
　してみると、引用発明に、上記相違点２に係る構成を採用することは、当業者が容易になし得る事項である。
　
　そして、本願発明の効果も引用発明及び周知技術から当業者が予測し得る範囲のものであって格別なものではない。
　
　したがって、本願発明は、引用発明及び周知技術に基づき当業者が容易に発明をすることができたものであり、特許法第２９条第２項の規定により特許を受けることができない。
　
第３　むすび  
　以上のとおりであるから、本願発明は特許を受けることができない。
　したがって、本願は拒絶すべきものである。
　よって、結論のとおり審決する。